(57)【要約】【課題】  ブラジャーをオーダーメイドする為に着用した際の着用感を確認することが出来る計測機能を備えたブラジャーであって、複数の部位の組合せで構成し、あらゆる体形の計測を可能とし、実際と同じ着用感を得ることが出来る計測機能を備えたブラジャーの提供。【解決手段】  ブラジャーはカップ受部４の両側にカップ部５ａ，５ｂを有すフロント部１と該フロント部の両側には連結手段を介して連結すると共に伸縮可能な生地から成るバック部２ａ、２ｂ、そして一方のバック部２ａの先端にはフック部を設けると共に他方のバック部２ｂの先端にはアイ部を設け、カップ部５ａ，５ｂの上端とバック部２ａ，２ｂとを伸縮可能な肩ストラップ３ａ，３ｂにて連結し、更にカップ受部４とカップ部５ａ，５ｂの境界と成るバージスライン６ａ，６ｂには小さな穴を沿設し、該穴にはワイヤー１４を挿入すると共に取外すことを可能とする。【選択図】    図３
2007070753.tif 000002
【特許請求の範囲】
【請求項１】
バストをサポートする為に着用するブラジャーにおいて、フロント部のカップ受部には概略半球状のカップ部を左右対称に設け、カップ受部とカップ部の境界と成るバージスラインには小さな穴を沿設し、該穴にはワイヤーを挿入すると共に取外すことを可能とするブラジャー。
【請求項２】
ブラジャーをオーダーメイドする為に着用した際の着用感を確認することが出来る計測機能を備えたブラジャーにおいて、該ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、更にカップ受部とカップ部の境界と成るバージスラインには小さな穴を沿設し、該穴にはワイヤーを挿入すると共に取外すことを可能とする計測機能を備えたブラジャー。
【請求項３】
ブラジャーをオーダーメイドする為に着用した際の着用感を確認することが出来る計測機能を備えたブラジャーにおいて、該ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、上記ファスナー等の連結手段をバック部に一定間隔をおいて縫製した複数の連結片を介して設け、更にカップ受部とカップ部の境界と成るバージスラインには小さな穴を沿設し、該穴にはワイヤーを挿入すると共に取外すことを可能とする計測機能を備えたブラジャー。
【請求項４】
ブラジャーをオーダーメイドする為に着用した際の着用感を確認することが出来る計測機能を備えたブラジャーにおいて、該ブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、上記ファスナー等の連結手段をフロント部に一定間隔をおいて縫製した複数の連結片を介して設け、更にカップ受部とカップ部の境界と成るバージスラインには小さな穴を沿設し、該穴にはワイヤーを挿入すると共に取外すことを可能とする計測機能を備えたブラジャー。
【請求項５】
ブラジャーをオーダーメイドする為に着用した際の着用感を確認する体形の計測方法において、該計測に際して使用するブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、上記ファスナー等の連結手段をバック部に一定間隔をおいて縫製した複数の連結片を介して設け、更にカップ受部とカップ部の境界と成るバージスラインには小さな穴を沿設し、該穴にはワイヤーを挿入すると共に取外すことを可能な構造とし、上記フロント部、両バック部を選択して組合わせ、又バック部に縫着した複数の連結片の縁に設けたファスナー等の連結手段を選択し、更に上記ワイヤーの湾曲度を選択してバージスラインの穴に挿入することでブラジャーの着用感を確認可能としたことを特徴とする体形の計測方法。
【請求項６】
ブラジャーをオーダーメイドする為に着用した際の着用感を確認する体形の計測方法において、該計測に際して使用するブラジャーはカップ受部の両側にカップ部を有すフロント部と該フロント部の両側にはファスナー等の連結手段を介して連結すると共に伸縮可能な生地から成るバック部、そして一方のバック部の先端にはフック部を設けると共に他方のバック部先端にはアイ部を設け、カップ部の上端とバック部とを伸縮可能な肩ストラップにて連結し、上記ファスナー等の連結手段をフロント部に一定間隔をおいて縫製した複数の連結片を介して設け、更にカップ受部とカップ部の境界と成るバージスラインには小さな穴を沿設し、該穴にはワイヤーを挿入すると共に取外すことを可能な構造とし、上記フロント部、両バック部を選択して組合わせ、又フロント部に縫着した複数の連結片の縁に設けたファスナー等の連結手段を選択し、更に上記ワイヤーの湾曲度を選択してバージスラインの穴に挿入することでブラジャーの着用感を確認可能としたことを特徴とする体形の計測方法。
【発明の詳細な説明】
【技術分野】
【０００１】
本発明はバストのバージスラインに取付けたワイヤーが食い込むことのなく完全フィットする着用感が得られるブラジャー、及び該ブラジャーをオーダーメイドする為に計測に際して用いるブラジャー、並びに計測用ブラジャーを用いての体形の計測方法に関するものである。
【背景技術】
【０００２】
ブラジャーはバストを理想的な形状に整え、垂下がりを防止する為に着用され、今日では多種多様化したブラジャーが市販されている。女性はこれらのブラジャーの中から自分の身体にフィットするものを選択して購入しているが、完全にフィットするブラジャーを見つけ出すことは容易でない。バストの大きさ、形、胸囲のサイズなど、個々の人にとって夫々異なっている為に、何れかを基準に合わせることで、他の箇所が合わないことになる。
【０００３】
身体にフィットしないブラジャーを着用するならば、ブラジャーとしての目的を達成することが出来ず、適度なフィット感が得られずして不快感が残ってしまう。特に、サイズの小さなブラジャーを着用するならば、圧迫による苦痛を感じ、血流が悪くなり、身体にも悪影響を及ぼす。
【０００４】
ブラジャーにおけるカップ部のフィット感は、バスト下縁の半円弧状の輪郭線(バージスライン)の曲率(バージスサイズ)とカップ高さによって異なるもので、このバージスサイズとカップ高さとの組合せは各個人により様々である。従って、両者の組合せを種々に変えたブラジャーが用意されていない為に、市販されているブラジャーにて完全なフィット感は得られないのが実状である。
【０００５】
近年のブラジャーにはカップ部のバージスラインにワイヤーが取付けられている。ワイヤーを組み入れることでカップ部の形状や高さが定まり、バストの形を整えることが出来るが、バージスラインに設けているワイヤーはあくまでも規格化されたものであり、各自のバストを無理に合わせることが多い。その為に、ワイヤー付きブラジャーはバストに食い込んで苦しくなることも多い。
【０００６】
ブラジャーのカップ部については、体格、年齢、胴の形状や姿勢など、各自の体型が様々な上に、求めるバストの形も異なり、その為に、カップの形状や高さ、ワイヤーの食い込みなどを気にすることが多い。そこで、自分の体型に合うようにオーダーメイドする為に計測機能を備えたブラジャーが知られている。特開２００２−２１２８２３号に係る「カップ部を有する衣類のオーダーメイド用計測サンプル及びオーダーメイド方式」は、従来技術の１つである。
【０００７】
この「カップ部を有する衣類のオーダーメイド用計測サンプル及びオーダーメイド方式」とは、バージスサイズを変えた複数のカップ受部と、１つのバージスサイズにおいてカップ高さを変えた複数のカップ部とを有し、カップ受部に対してカップ部を着脱可能に設けてオーダーメイド用計測サンプルとする。さらに１つのカップ受部において寸法の異なる複数のバック部を付加し、カップ受部に対してカップ部及びバック部を着脱可能に設けたオーダーメイド用計測サンプルとし、このオーダーメイド用計測サンプルを用いて顧客のカスタムサイズを計測することによりカップ部を有す衣類を製造することが出来る。
【０００８】
ところで、オーダーメイド計測サンプルでは、カップ受部に対してカップ部を着脱可能に設けた構造と成っているが、この接続部分に僅かなズレが発生してもカップの容量が変化してしまう。ブラジャーにおいてカップ部は最も重要であり、このカップ部の位置及びカップサイズを定めることが必要である。上記オーダーメイド計測サンプルでは、接続部分に面ファスナー(粘着テープ)が使用されているが、該面ファスナーでは取付けたカップ部の位置ズレ及び伸びが発生してカップ容量が変化してしまう。
【特許文献１】特開２００２−２１２８２３号に係る「カップ部を有する衣類のオーダーメイド用計測サンプル及びオーダーメイド方式」
【発明の開示】
【発明が解決しようとする課題】
【０００９】
このように、従来の計測サンプルには上記のごとき問題がある。本発明が解決しようとする課題はこれら問題点であり、バージスラインに設けたワイヤーがバストに食い込んで痛みや苦痛を感じることがないようにしたブラジャー、及び該ブラジャーをオーダーメイドする為に計測に際して用いるブラジャーを提供する。
【課題を解決するための手段】
【００１０】
本発明に係るブラジャー及び計測機能を備えたブラジャーは、カップ部のバージスラインにワイヤーを取付けたものであり、しかも該ワイヤーを着脱可能な取付け構造としている。ここで、ワイヤーは概略半円弧状に湾曲した形状を成しているが、その形状を多少変更した概略半円弧状ワイヤーを複数本準備して出し入れすることで、バストに合ったワイヤーを選択して取付けることが出来る。カップ部のバージスラインには上記概略半円弧状のワイヤーを挿入することが出来る小さな穴を沿設している。
【発明の効果】
【００１１】
本発明に係るブラジャー及び計測機能を備えたブラジャーは、カップ部のバージスラインに概略半円弧状に湾曲したワイヤーを取付けた形態であり、しかも該ワイヤーは着脱可能としている。従って、自分のバスト形状に適したワイヤーを選択することが可能であり、ブラジャーを着用しても該ワイヤーがバストに食い込んで痛みを覚えたり、苦痛を感じることはない。そして、概略半円弧状ワイヤーの両端距離の異なるものを取付けることで、カップ部の高さを変えることも可能と成る。
【実施例】
【００１２】
図１、図２は本発明に係る計測機能を備えたブラジャーを着用した場合であり、図１は正面からの状態図、図２は背面からの状態図を各々示している。ブラジャーとしての基本的な形態は従来のものと同じであり、フロント部１の両側にはバック部２，２が延びて先端は互いに連結し、フロント部１とバック部２，２とは肩ストラップ３，３にて連結している。
【００１３】
本発明に係る計測機能を備えたブラジャーは、着用するに当って体にバージスラインに沿って取付けた概略半円弧状のワイヤーがバストに食い込むことなく、完全にフィットするように、該ワイヤーを出し入れして交換することで着用感を確かめることが出来るメジャーである。勿論、圧迫感や痛みがないように、そしてバストが美しく見えるよう形態とし、これを基にしてその人の体型に合う専用ブラジャーをオーダーメイドすることが出来る。
【００１４】
図３は本発明の実施例であって、計測機能を備えたブラジャーを分離した場合を示している。該計測用ブラジャーは、フロント部１、バック部２ａ，２ｂ、肩ストラップ３ａ，３ｂを組み合わせて構成している。上記フロント部１はカップ受部４に両カップ部５ａ、５ｂが設けられ、カップ部５ａ，５ｂとカップ受部４の境界であるバージスライン６ａ，６ｂにはワイヤーが取付けられている。ワイヤーをバージスライン６ａ，６ｂに設けることで、カップ部５ａ，５ｂの形状及び大きさが定まる。
【００１５】
ところで、フロント部１はバージスサイズを変えたカップ受部４と、特定のバージスサイズにおいてカップ高さを変えたカップ部５ａ，５ｂとの組合わせで構成され、複数のサイズで構成されるフロント部１を準備している。そしてフロント部１の両側には連結部７ａ，７ｂが設けられ、該連結部７ａ，７ｂの内側には連結手段となる複数のフック８ａ，８ａ・・、及び８ｂ，８ｂ・・が等間隔で取付けられている。
【００１６】
一方のバック部２ａ，２ｂには連結手段と成る複数のアイ９ａ，９ａ・・及び９ｂ，９ｂ・・が等間隔で設けられている。これらアイ９ａ，９ａ・・がフロント部１の連結部７ａに取付けているフック８ａ，８ａ・・に係止することでバック部２ａが連結される。同じく、アイ９ｂ，９ｂ・・がフロント部１の連結部７ｂに取付けているフック８ｂ，８ｂ・・に係止することでバック部２ｂが連結される。
【００１７】
図４は上記ブラジャーのフロント部１の裏側(背面)を表している。カップ部５ａ，５ｂは３枚の生地片１０ａ，１１ａ，１２ａ、及び１０ｂ，１１ｂ，１２ｂが繋ぎ合わされて概略半球状に形成され、そして該カップ部５ａ，５ｂはカップ受部４に左右対称を成して縫い付けされている。カップ部５ａ，５ｂとカップ受部４との境界には概略半円弧状のバージスライン６ａ，６ｂが対を成して形成されているが、該バージスライン６ａ，６ｂには小さな穴が沿設されている。
【００１８】
上記穴は外側に開口１３ａ，１３ｂを有しており、該開口１３ａ，１３ｂから概略半円弧状のワイヤーが挿入される。図５は概略半円弧状のワイヤー１４ａ，１４ｂ，１４ｃを表している。ワイヤー１４ａは両端Ａ，Ｂの距離が大きく、ワイヤー１４ｃは両端Ａ，Ｂの距離が小さく成っている。同図の左端Ａはカップ部５ａ，５ｂの中央側、右端Ｂはカップ部５ａ，５ｂの外側に位置する。
【００１９】
ところで、本発明のブラジャーはそのバージスライン６ａ，６ｂに設けている穴に図５に示すワイヤー１４ａ，１４ｂ，１４ｃを挿入することが出来、自分のバストに合ったワイヤー形状を選択可能としている。上記カップ部５ａ，５ｂの容量(大きさ)が同じであっても、バージスライン６ａ，６ｂの穴に挿入されるワイヤー１４ａ，１４ｂ，１４ｃの形状が違うことで、カップ部５ａ，５ｂの高さが違ってくる。すなわち、ワイヤー１４ａを挿入するならば、カップ部５ａ，５ｂの高さは低くなり、逆にワイヤー１４ｃを挿入するならば、カップ部５ａ，５ｂの高さは高くなる。
【００２０】
従来のブラジャーでは、カップ部５ａ，５ｂのバージスライン６ａ，６ｂに設けられるワイヤー１４は規格化されたものであり、その為に自分のバストに合わない場合には食い込んだり、逆にバストとの間に隙間を発生したりする。バストにワイヤー１４が食い込むことで窮屈であり、時には痛みを感じる。又、隙間が発生すればバストを支えるブラジャーとしての機能が損なわれると共に、カップ部５ａ，５ｂは位置ズレする。
【００２１】
バストは各個人の体格や年齢、胴の形状や姿勢などの影響で、その形は千差万別である。本発明では、ブラジャーにおいて最も重要なカップ部５ａ，５ｂのバージスライン６ａ，６ｂに設けているワイヤー１４を出し入れ可能とすることで、バスト形状に合ったカップ部５ａ，５ｂを形成することが出来る。そして、人によってはバスト形状が左右で異なる場合もあり、ワイヤーの形状を違わせることで対処可能と成る。
【００２２】
図６はバック部２ａの詳細図であり、フロント部１との連結側には複数枚の連結片１５ａ，１６ａ，１７ａ，１８ａ，１８ａが所定の間隔(ピッチＰ)で縫い付けられている。バック部２ａは伸縮可能な生地から成っているが、上記連結片１５ａ，１６ａ，１７ａ，１８ａ，１９ａは伸縮しない丈夫な生地が使用され、これら連結片１５ａ，１６ａ，１７ａ，１８ａ，１９ａにはフックが係止するアイ９ａ，９ａ，９ａ・・が等間隔で取付けられている。
【００２３】
そして、各連結片１５ａ，１６ａ，１７ａ，１８ａ，１９ａの上部にはナンバー生地２０ａ，２１ａ，２２ａ，２３ａ、２４ａが縫い付けられ、該ナンバー生地２０ａ，２１ａ，２２ａ，２３ａ，２４ａには所定のナンバー１，２，３，４，５が記入されている。勿論、１，２，３・・のような番号でなく、順番が分かる記号であればよい。
【００２４】
本発明では、一定間隔で取付けたアイ９ａ，９ａ・・を、所定のピッチＰ，Ｐ・・にて直接バック部２ａに複数列配列することなく、複数枚の連結片１５ａ，１６ａ，１７ａ，１８ａ，１９ａにアイ９ａ，９ａ，９ａ・・を取付けた構造と成っている。バック部２ａに一連のアイ９ａ，９ａ・・を小さなピッチＰ，Ｐ・・にて複数列配列することは出来ないが、複数枚の連結片１５ａ，１６ａ，１７ａ，１８ａ，１９ａを使用することで互いに重なり合うことが出来、小さなピッチＰ，Ｐ・・にて配列可能と成る。
【００２５】
そこで、本発明では適当な連結片を選んでアイ９ａ，９ａ，９ａ・・をフロント部１の連結部７ａに取付けているフック８ａ，８ａ，８ａ・・に係止することが出来る。同じように、他方のバック部２ｂにも複数枚の連結片１５ｂ，１６ｂ，１７ｂ，１８ｂ，１９ｂが一定ピッチＰ，Ｐ・・にて縫い付けられており、これら各連結片１５ｂ，１６ｂ，１７ｂ，１８ｂ，１９ｂにはアイ９ｂ，９ｂ，９ｂ・・が取付けられている。
【００２６】
そこで、適当な連結片を選んでアイ９ｂ、９ｂ・・をフロント部１の連結部７ｂに取付けているフック８ｂ，８ｂ，８ｂ・・に係止することが出来る。このように、フロント部１の両側には適当な長さをしたバック部２ａ，２ｂが連結される。
【００２７】
両バック部２ａ，２ｂをフロント部１に適当な連結片１５，１６，１７、・・を介して連結することで、その時の着用感を確かめることが出来る。バック部２ａ，２ｂに設けている５枚の連結片１５ａ，１６ａ，１７ａ・・、１５ｂ，１６ｂ，１７ｂ・・の内、圧迫感が強い場合には最先端の連結片１９ａ，１９ｂに設けているアイ９ａ，９ａ・・、９ｂ，９ｂ・・をフロント部１のフック８ａ，８ａ・・、８ｂ、８ｂ・・に係止して連結する。逆に圧迫感が弱過ぎる場合には、内側の連結片１５ａ，１５ｂに設けているアイ９ａ，９ａ・・、９ｂ，９ｂ・・をフロント部１のフック８ａ，８ａ・・８ｂ、８ｂ・・に係止して連結する。
【００２８】
そして、バック部２ａの先端に設けている連結部２５ａには複数のフック(図示なし)が等間隔で取付けられ、他方のバック部２ｂの先端に設けている連結部２５ｂには複数のアイ２６，２６・・が複数列をなして取付けられている。アイ２６，２６・・はフックに係止することで両バック部２ａ，２ｂの先端は背中で連結される。この場合、フックが係止するアイ２６，２６・・の位置は、ブラジャーを着用する際に選ぶことが出来る。
【００２９】
一方、肩ストラップ３ａ，３ｂはカップ部５ａ，５ｂから上方へ延びて設けている連結部２７ａ，２７ｂの先端に一方端のカギ２８が係止し、他方端はバック部２ａ，２ｂの上縁に設けている係止部２９ａ又は３０ａに先端のカギ２８を係止して連結する。肩ストラップ３ａ，３ｂの長さは調整することが出来、着用感が損なわれることはない。
【００３０】
図３に示す計測用ブラジャーはフロント部１と両バック部２ａ，２ｂが分離することが出来る形態として構成しているが、両バック部２ａ，２ｂをフロント部１の両側に連結した一体型形態のブラジャーとすることもある。そして、バック部２ａ，２ｂをフロント部１に連結する為に複数の連結片１５ａ，１６ａ・・、及び１５ｂ，１６ｂ・・を設けているが、この連結手段は単なる１具体例に過ぎない。
【図面の簡単な説明】
【００３１】
【図１】本発明に係るブラジャーを着用した正面図。
【図２】本発明に係るブラジャーを着用した背面図。
【図３】本発明に係る計測ブラジャーの分解図。
【図４】フロント部の内側を示している背面図。
【図５】バージスラインに設ける概略半円弧状のワイヤー。
【図６】バック部の詳細図。
【符号の説明】
【００３２】
１  フロント部
２  バック部
３  肩ストラップ
４  カップ受部
５  カップ部
６  バージスライン
７  連結部
８  フック
９  アイ
10  生地片
11  生地片
12  生地片
13  開口
14  ワイヤー
15  連結片
16  連結片
17  連結片
18  連結片
19  連結片
20  ナンバー生地
21  ナンバー生地
22  ナンバー生地
23  ナンバー生地
24  ナンバー生地
25  連結部
26  アイ
27  連結部
28  カギ
29  係止部
30  係止部
【図１】
2007070753.tif 000003
【図２】
2007070753.tif 000004
【図３】
2007070753.tif 000005
【図４】
2007070753.tif 000006
【図５】
2007070753.tif 000007
【図６】
2007070753.tif 000008